【手続補正書】
【提出日】平成16年8月31日(2004.8.31)
【手続補正１】
【補正対象書類名】明細書
【補正対象項目名】特許請求の範囲
【補正方法】変更
【補正の内容】
【特許請求の範囲】
【請求項１】
乾電池が挿入される収納部の長手方向に弾性変形可能なスプリング形状の負極端子を備えた電池ボックスにおいて、
挿入される乾電池の側面が前記負極端子と接触するのを防止する接触防止部材を、前記負極端子の上方であって、且つ、挿入された乾電池のマイナス極とこの乾電池により圧縮された前記負極端子との接触位置を避けた位置の上方に設けてあることを特徴とする電池ボックス。
【請求項２】
請求項１記載の電池ボックスにおいて、前記接触防止部材は、前記収納部の長手方向と交差する方向において前記収納部に掛け渡された掛け渡し部として形成されている、電池ボックス。
【請求項３】
請求項２記載の電池ボックスにおいて、前記接触防止部材は、前記長手方向において前記負極端子の先端部付近の上方に掛け渡されている、電池ボックス。
【請求項４】
請求項１記載の電池ボックスにおいて、前記接触防止部材は、前記収納部の長手方向と交差する方向において前記収納部の内方に突出する突出部として形成されている、電池ボックス。
【請求項５】
請求項４記載の電池ボックスにおいて、前記接触防止部材は、前記長手方向において前記負極端子の先端部付近のみに沿って延在している、電池ボックス。
【請求項６】
請求項４記載の電池ボックスにおいて、前記接触防止部材は、前記長手方向において前記負極端子の先端部付近から前記収納部の端部付近までに沿って延在している、電池ボックス。
【請求項７】
請求項４乃至６のいずれかに記載の電池ボックスにおいて、前記接触防止部材は、前記収納部の側壁両側に設けられている、電池ボックス。
【請求項８】
請求項４乃至６のいずれかに記載の電池ボックスにおいて、前記接触防止部材は、前記収納部の側壁片側に設けられている、電池ボックス。
【請求項９】
請求項７記載の電池ボックスにおいて、一方の接触防止部材の突出の度合と他方の接触防止部材の突出の度合は異なっている、電池ボックス。
【請求項１０】
請求項１乃至９のいずれかに記載の電池ボックスにおいて、更に前記収納部を覆う蓋を有し、該蓋にはその蓋を閉じたときに前記接触防止部材が抜けるような位置に孔が設けられている、電池ボックス。
【手続補正２】
【補正対象書類名】明細書
【補正対象項目名】００１１
【補正方法】変更
【補正の内容】
【００１１】
【課題を解決するための手段】
本発明の電池ボックスは、乾電池が挿入される収納部の長手方向に弾性変形可能なスプリング形状の負極端子を備え、挿入される乾電池の側面が前記負極端子と接触するのを防止する接触防止部材を、前記負極端子の上方であって、且つ、挿入された乾電池のマイナス極とこの乾電池により圧縮された前記負極端子との接触位置を避けた位置の上方に設けてある。
【手続補正３】
【補正対象書類名】明細書
【補正対象項目名】００１２
【補正方法】変更
【補正の内容】
【００１２】
本発明の電池ボックスにおいて、前記接触防止部材は、前記収納部の長手方向と交差する方向において前記収納部に掛け渡された掛け渡し部として形成されている。特に、この接触防止部材は、前記長手方向において前記負極端子の先端部付近の上方に掛け渡されている。
【手続補正４】
【補正対象書類名】明細書
【補正対象項目名】００１４
【補正方法】変更
【補正の内容】
【００１４】
また、本発明の電池ボックスにおいて、前記接触防止部材は、前記長手方向において前記負極端子の先端部付近のみに沿って延在している。
【手続補正５】
【補正対象書類名】明細書
【補正対象項目名】００１５
【補正方法】変更
【補正の内容】
【００１５】
また、本発明の電池ボックスにおいて、前記接触防止部材は、前記長手方向において前記負極端子の先端部付近から前記収納部の端部付近までに沿って延在している。
【手続補正６】
【補正対象書類名】明細書
【補正対象項目名】００１６
【補正方法】変更
【補正の内容】
【００１６】
更に、本発明の電池ボックスにおいて、前記接触防止部材は、前記収納部の側壁両側に設けられている。
【手続補正７】
【補正対象書類名】明細書
【補正対象項目名】００２０
【補正方法】削除
【補正の内容】
【手続補正８】
【補正対象書類名】明細書
【補正対象項目名】００２２
【補正方法】変更
【補正の内容】
【００２２】
ここで、請求項１記載の発明によれば、乾電池が挿入される収納部の長手方向に弾性変形可能なスプリング形状の負極端子の上方で、且つ、挿入された乾電池のマイナス極とこの乾電池により圧縮された負極端子との接触位置を避けた位置の上方に接触防止部材を設けることとされており、電池ボックスに挿入する乾電池の側面が負極端子に接触するのを防止することができる。
【手続補正９】
【補正対象書類名】明細書
【補正対象項目名】００２４
【補正方法】変更
【補正の内容】
【００２４】
請求項４記載の発明によれば、接触防止部材は、収納部の長手方向と交差する方向において収納部の内方に突出する突出部として形成されていることから、接触防止部材が収納部の上縁から突出することを防止することができ、また、接触防止部材を小型化することができる。更に、この場合には、蓋に孔を設けることなく、蓋を閉じたときに接触防止部材が蓋に当たるのを防止することができる。
【手続補正１０】
【補正対象書類名】明細書
【補正対象項目名】００２５
【補正方法】変更
【補正の内容】
【００２５】
請求項５記載の発明によれば、接触防止部材は長手方向において負極端子の先端部付近のみに沿って延在していることから、接触防止部材の構成を簡易化できる。
【手続補正１１】
【補正対象書類名】明細書
【補正対象項目名】００２６
【補正方法】変更
【補正の内容】
【００２６】
請求項６記載の発明によれば、接触防止部材は長手方向において負極端子の先端部付近から収納部の端部付近までに沿って延在していることから、接触防止部材の強度をより大きくすることができる。
【手続補正１２】
【補正対象書類名】明細書
【補正対象項目名】００２７
【補正方法】変更
【補正の内容】
【００２７】
請求項７記載の発明によれば、接触防止部材は収納部の側壁両側に設けられていることから、乾電池と端子との接触を確実に防止することができる。
【手続補正１３】
【補正対象書類名】明細書
【補正対象項目名】００２８
【補正方法】変更
【補正の内容】
【００２８】
請求項８記載の発明によれば、接触防止部材は収納部の側壁片側に設けられていることから、収納部のもう一方の側壁片側に接触防止部材を設けるスペースがない場合においても、乾電池の側面が電池ボックスの端子に接触するのを防止することができる。
【手続補正１４】
【補正対象書類名】明細書
【補正対象項目名】００２９
【補正方法】変更
【補正の内容】
【００２９】
請求項９記載の発明によれば、一方の接触防止部材の突出の度合と他方の接触防止部材の突出の度合は異なっていることから、収納部のもう一方の側壁片側のスペースの広さに応じて、接触防止部材を設けることができる。
【手続補正１５】
【補正対象書類名】明細書
【補正対象項目名】００３０
【補正方法】変更
【補正の内容】
【００３０】
請求項１０記載の発明によれば、更に収納部を覆う蓋を有し、該蓋にはその蓋を閉じたときに接触防止部材が抜けるような位置に孔が設けられていることから、蓋を閉めたときに接触防止部材が蓋に当たるのを防止することができる。
【手続補正１６】
【補正対象書類名】明細書
【補正対象項目名】００３１
【補正方法】削除
【補正の内容】
【手続補正１７】
【補正対象書類名】明細書
【補正対象項目名】００３４
【補正方法】変更
【補正の内容】
【００３４】
接触防止部材４は、収納部１０の一部として一体成形され得る。第一の実施例によれば、この接触防止部材４は、負極端子３の先端部３ａ付近の上方で、収納部１０の両端を結ぶ長手方向と交差する方向において、例えば図３に示すような略直交方向において、収納部１０の側壁１７ａ、１７ｂに掛け渡された掛け渡し部として形成されている。接触防止部材４の本体部４ａは、略一定太さの棒状に形成されている（後述する図２参照）。一方、接触防止部材４の両端部４ｂは、図面からは必ずしも明らかでないがテーパー状である。
【手続補正１８】
【補正対象書類名】明細書
【補正対象項目名】００３８
【補正方法】変更
【補正の内容】
【００３８】
図２は、図１に示す電池ボックス１のＡ−Ａ'断面図である。この図に示されるように、接触防止部材４は、収納部１０の上縁１３（収納部１０に挿入された乾電池と同じ高さである）から上方（蓋５側）に多少突出した状態で設けられている。図３（ａ）はこの電池ボックス１に乾電池を入れた場合を示す図であるが、２本の乾電池を縦に並べて入れる場合には、先に一本を入れてしまい別の一本を斜めに入れるが、この時、電池ボックスの正極端子２側に先に乾電池１２ａをセットした場合には、図３（ａ）に示すように、もう１本の乾電池１２ｂを入れる時に、乾電池１２ｂのプラス極側を下に傾けて入れると、マイナス極側の側面がストッパーである接触防止部材４の上側に当たり完全に入れることが出来ない。しかしながら、接触防止部材４が乾電池１２ｂに対してストッパーとして機能することから、従来のように、乾電池１２ｂの側面が負極端子３に接触してしまうことはない。一方、図３（ｂ）に示すように、電池ボックスの正極端子２側に先に乾電池１２ａをセットした後に、もう一本の乾電池１２ｂのマイナス側を下に傾けて入れた場合には、乾電池１２ｂの側面は接触防止部材４の下側と衝突するが、それにもかかわらず、乾電池１２ｂを接触防止部材４と収納部１０の底面１８の間から接触防止部材４の下側にすべり込ませることができる。従って、この図３（ｂ）に示す例では、乾電池１２ｂの側面が負極端子３に接触することはなく、しかも、２本の乾電池（特に乾電池１２ｂ）を電池ボックス１に完全に挿入することができる。